Podtech/llm-jp-corpus-v4-ja_patent huggingface dataset:
(57)【要約】【課題】  この発明は、長期保存に耐え、かつ味の変化のない酢飯を得ることを目的としたものである。【解決手段】  この発明は、精米を水洗し、適量の水を加えて浸漬すると共に、これに酢とグルコノデルタラクトンを加えて炊飯した後、調味調整物を添加混合し、ついで１０５℃〜１１０℃で殺菌することを特徴としたロングライフ酢飯の製造方法により、目的を達成した。【選択図】    なし【特許請求の範囲】
【請求項１】
酢とグルコノデルタラクトンで炊飯した米飯を調味し、殺菌したことを特徴とするロングライフ酢飯。
【請求項２】
酢は米と水の０．１％〜０．８％（質量）、グルコノデルタラクトンは米と水の０．０５％〜０．１５％（質量）使用したことを特徴とする請求項１記載のロングライフ酢飯。
【請求項３】
精米を水洗し、適量の水を加えて浸漬すると共に、これに酢とグルコノデルタラクトンを加えて炊飯した後、調味調整物を添加混合し、ついで１０５℃〜１１０℃で殺菌することを特徴としたロングライフ酢飯の製造方法。
【請求項４】
調味調整物を、食塩、白醤油、酢及び上白糖とすることを特徴とした請求項３記載のロングライフ酢飯の製造方法。
【発明の詳細な説明】
【技術分野】
【０００１】
この発明は、淡い酢と、グルコノデルタラクトンで炊飯した飯を調味し、殺菌して、長期間の保存に耐える包装米飯を得ることを目的としたロングライフ酢飯及びその製造方法に関する。
【背景技術】
【０００２】
従来、寿司等の米飯改良材として、米飯に食用サラダ油を配合する方法、グルコノデルタラクトンと酵素類を添加した米飯食味改良材、澱粉分解酵素、海苔の微粉末、トレハロースを組み合わせた発明などが提案されている。
【０００３】
また、保存性に優れた米飯としては、レトルト処理、無パック米飯とか、生米に水及びすし酸味調味料を配合し、これをプラスチックフィルムに充填密封し、レトルト処理する発明の提案がある。
【特許文献１】特開平６−１６９７０９
【特許文献２】特開平６−４６７６９
【特許文献３】特開２００３−０５２３１９
【特許文献４】特開平６−４６７７０
【特許文献５】特開平４−８２５８
【発明の開示】
【発明が解決しようとする課題】
【０００４】
前記従来の発明は、夫々の特質があるが、引用文献１、２は米飯の改良剤に関する発明であり、引用文献３は味の改善であり、引用文献４はレトルト処理による殺菌を主とするものであり、引用文献５はすしごはんの改良を主目的とするものなどで、ロングライフについての効果と、味の不変効果を両立させる点で問題点が認められる。
【課題を解決するための手段】
【０００５】
この発明は、酢とグルコノデルタラクトンで炊飯した米飯を調味し、殺菌することにより、長期の保存に耐え、しかも味を損しない酢飯を得ることに成功し、前記従来の問題点を解決したのである。
【０００６】
即ちこの発明は、酢とグルコノデルタラクトンで炊飯した米飯を調味し、殺菌したことを特徴とするロングライフ酢飯である。
【０００７】
また方法の発明は、精米を水洗し、適量の水を加えて浸漬すると共に、これに酢とグルコノデルタラクトンを加えて炊飯した後、調味調整物を添加混合し、ついで１０５℃〜１１０℃で殺菌することを特徴としたロングライフ酢飯の製造方法であり、調味調整物を、食塩、白醤油、酢及び上白糖としたものである。
【０００８】
前記発明において、酢は、全体（米と水）の０．１％〜０．８％（質量）、グルコノデルタラクトンは、全体の０．０５％〜０．１５％（質量）が使用され、好ましくは、酢を全体の０．４％〜０．５％（質量）を用い、グルコノデルタラクトンを全体の０．０７％〜０．０９％（質量）用いる。
【０００９】
また、調整物は、例えば酢を飯の０．５％〜１．５％（質量）、食塩を０．５％〜１．５％（質量）、白醤油を０．１％〜０．８％（質量）、上白糖を０．６％〜５％（質量）混合して調整する。
【００１０】
この発明でいう酢は、食酢（醸造酢及び合成酢）と５％酢酸をいう。従って食酢を使用し、又は５％酢酸を使用して、同一結果が得られる。
【発明の効果】
【００１１】
この発明によれば、酢飯を加熱殺菌して完全殺菌化すると共に、味の変化しないロングライフ酢飯を得る効果がある。
【発明を実施するための最良の形態】
【００１２】
うるち米に酢とグルコノデルタラクトンを加え炊飯する。これに食塩、白醤油、酢、上白糖からなる調整物を加えよく混合する。この酢飯を容器に入れてプラスチック蓋をシールし、１０５℃で、２０分間で殺菌する。酢飯はｐＨが低いので（例えばｐＨ５）温和な殺菌処理により日持ちの向上した包装米飯を得ることができる。
【実施例１】
【００１３】
９０％搗精したササニシキ（商標）１ｋｇを水洗し、全体で２．４ｋｇになるように加水し、室温で６０分間放置した。これに酢（ナカノス富貴、商標）１０ｍｌとグルコノデルタラクトン（藤沢製薬製）２ｇを加え、電気炊飯器により炊飯した。飯米をステンレス容器に取り出し、これに酢１２０ｍｌ、食塩２０ｇ、白醤油１０ｍｌ、上白糖６０ｇからなる調整物を加えてよく混合して酢飯とし、この酢飯２００ｇをポリプロピレン容器に詰め、プラスチック蓋をシールして包装炊飯米を得た。次にこの包装炊飯米をレトルト試験機（日阪製作所製）に入れ、１０５℃で、２０分間の殺菌処理を施した。
【００１４】
殺菌処理済み包装米飯を室温で３ヶ月保存した後検査したところ、表１の結果を得た。これによれば一般生菌数は１ｇ当たり３００個以下であり、大腸菌群も陰性であった。
【表１】
2006061034.tif 000002
【実施例２】
【００１５】
うるち米１ｋｇを水洗し、全体が２．４ｋｇになるように加水した後、室温で６０分間水に浸漬した。これに酢（ナカノス富貴、商標）５ｍｌとグルコノデルタラクトン（藤沢製薬製）３．６ｇを加え炊飯した。飯米をステンレス容器に取り出し、酢１２０ｍｌ、食塩２０ｇ、白醤油１０ｍｌ、上白糖５０ｇ、トレハロース（林原）２０ｇからなる調整物を加え、よく混合した。この酢飯２００ｇをポリプロピレン製の容器に詰め、プラスチック蓋を被冠して密にシールした。次に、この包装炊飯米をレトルト試験機に入れ、１１０℃で１５分間殺菌処理を施した。
【００１６】
殺菌処理済み包装米飯を室温で３ヶ月保存した後に一般生菌数を測定したところ、１ｇ当たり３００個以下であった。
(57)【要約】      （修正有）【課題】電位依存性カルシウムチャネルβ２サブユニットを欠損したマウス系列の確立。【解決手段】遺伝子ターゲッティング法を用いて、電位依存性カルシウムチャネルβ２サブユニットを欠損したマウス系列を作製した。β２サブユニット欠損マウスでは交感神経刺激に対する反応性が破綻している。具体的にはイソプロテレノール刺激に対する心筋収縮反応の低下、およびイソプロテレノールによるカルシウムチャネル電流量の増加反応の低下である。電位依存性カルシウムチャネルβ２サブユニット欠損マウスは、心不全モデルマウスとして有用と考えられる。【選択図】  図１
2006061052.tif 000002
【特許請求の範囲】
【請求項１】
マウスゲノム遺伝子を改変することによる電位依存性カルシウムチャネルβ２サブユニット遺伝子を欠損するマウス系列  
【発明の詳細な説明】
【技術分野】
【０００１】
本発明は、電位依存性カルシウムチャネルβ２サブユニットを欠損したマウス系列に関するものである。
【背景技術】
【０００２】
ストレスに対する人体の反応として、交感神経緊張亢進に基づく生体反応の存在が、知られている。これは、心拍出量の増加など、いわゆる”戦闘、あるいは逃避”の反応である。この交感神経緊張亢進時における心拍出量増加の主要メカニズムは、交感神経終末シナプスからノルアドレナリン放出量が増加し、心筋のアドレナリン作動性β1受容体に作用し、PKA（Protein  Kinase  A）を活性化させ、細胞内の標的タンパクをリン酸化させるためであると、説明されているが、PKA活性化後の細胞内におけるメカニズムは十分に明らかになったとはいえない。
【０００３】
PKA活性化後の細胞内メカニズムとして、細胞外からのカルシウム流入の増加が知られている。このカルシウム流入の増加の実体が、電位依存性カルシウムチャネル自体のリン酸化によるカルシウム電流の増加であることが、知られている。しかし、チャネルのどの分子がリン酸化されるかは明らかではない。
【０００４】
本発明は、このリン酸化の候補タンパクである電位依存性カルシウムチャネルβ２サブユニットを欠損するマウス系列を作製することにある。電位依存性カルシウムチャネルβ２遺伝子欠損マウスはジーンターゲッティング法により作製し（図１A）、遺伝子の改変をサザン解析で（図１B）、遺伝子発現の欠損はウエスタン法で確認した（図１C）。
【０００５】
電位依存性カルシウムチャネルβ２サブユニット欠損マウスにおける交感神経刺激に対する反応を判定することにより、電位依存性カルシウムチャネルβ２サブユニットが交感神経刺激時の重要なリン酸化タンパクであることを証明した。
【非特許文献１】相沢慎一著  「ジーンターゲッティング  ES細胞を用いた変異マウスの作製」羊土社  １９９５年
【発明の開示】
【発明が解決しようとする課題】
【０００６】
解決しようとする問題点は、電位依存性カルシウムチャネルβ２サブユニット欠損マウスにおける交感神経刺激に対する反応を判定することにより、電位依存性カルシウムチャネルβ２サブユニットが交感神経刺激時の重要なリン酸化タンパクであるか否かを判定することにある。
【課題を解決するための手段】
【０００７】
アドレナリン作動性β1受容体をイソプロテレノールで刺激し、心筋の収縮力の変化、あるいは単離心筋細胞におけるカルシウムチャネル電流を測定した。
【発明の効果】
【０００８】
電位依存性カルシウムチャネルβ２サブユニット欠損マウスではイソプロテレノールで刺激による心筋収縮力の増加が低下していた（図２）。さらにイソプロテレノールによるカルシウムチャネル電流量の増加が認められなかった（図３）。
【産業上の利用可能性】
【０００９】
慢性心不全では低下した不全心の拍出量を高めるため、交感神経の緊張が亢進していることが知られている。このメカニズムにより心筋の酸素消費が亢進し、結果的には、さらなる心不全の悪化をきたすことになる。したがってカテコールアミンの心筋細胞内における作用を阻止することができれば、長期に心筋を保護することが可能となる。β２サブユニット欠損マウスでは上記の交感神経刺激機構が破綻しており、心不全モデルマウスとして有用と考えられる。さらに、電位依存性カルシウムチャネルβ２サブユニットは細胞内におけるカテコールアミン刺激の標的分子として重要であることが明らかとなった。したがって新しい薬物標的分子としても注目される。
【図面の簡単な説明】
【００１０】
【図１】β２サブユニット欠損マウス系列を作製するための遺伝子ターゲッティングベクターの模式図（A）、サザン解析によるホモ体マウスの同定（B）、および心筋におけるウエスタン法によるβ２サブユニット発現が欠損していることの証明（C）。
【図２】β２サブユニット欠損マウスおよびコントロールマウスにおけるイソプロテレノール刺激による心筋収縮力の増加反応。β２サブユニット欠損マウスでは収縮性が低下していた。
【図３】β２サブユニット欠損マウスおよびコントロールマウスからの単離心筋細胞におけるイソプロテレノールによるカルシウムチャネル電流量の増加反応。コントロールマウスではイソプロテレノール刺激により、ピーク電流値が増加している（A）。β２サブユニット欠損マウスではイソプロテレノール刺激による電流値の増加が認められない（B）。測定電流がカルシウムチャネル電流であることは、ニフェジピンによる抑制効果で確認した。ピーク電流の統計学的解析（C）。β２サブユニット欠損マウスではイソプロテレノールによる電流の増加が認められなかった。
【図１】
2006061052.tif 000003
【図２】
2006061052.tif 000004
【図３】
2006061052.tif 000005
(57)【要約】【課題】動かないものでは一時的な効果に留まったり、持続性のあるものは高価であった。【解決手段】基板２に複数本の棒状突起３、3a…を植設した鳥類撃退装置１であって、棒状突起３、3a…は鳥類の接触または掴持による外力または荷重で屈曲容易な棒状突起３、3a…と成すことによって、安価な棒状突起３、3a…が鳥類の接触などで容易に屈曲し、鳥類の羽根、身体に棒状突起３、3a…が刺さる強烈な恐怖感を与えて退避させ、その繰り返しによる学習能力で近づかない。【選択図】図１
2006061078.tif 000002
【特許請求の範囲】
【請求項１】
基板に複数本の棒状突起を植設した鳥類撃退装置であって、棒状突起は鳥類の接触また
は掴持による外力または荷重で屈曲容易な棒状突起と成したことを特徴とする鳥類撃退器
具。
【請求項２】
棒状突起は細板状で合成樹脂製と成したことを特徴とする請求項１記載の鳥類撃退器具
。
【請求項３】
複数本の棒状突起の高さを複数種と成したことを特徴とする請求項１又は２記載の鳥類
撃退器具。
【発明の詳細な説明】
【技術分野】
【０００１】
本発明は、住宅近辺や公園周辺でカラスやハト等の鳥類を遠ざける鳥類撃退器具に関す
る。
【背景技術】
【０００２】
従来、カラスやハト等の鳥類は我々人間の生活環境の中でも生息する様になり、生ゴミ
の食い荒らしや糞害による被害が深刻なものとなってきた。
【０００３】
この改善策の鳥類撃退器具として、古くは案山子が知られていたが、案山子の様な固定
物では遠ざける効果が鳥類の学習能力で薄くなることが知られ、昨今では、模様が変化す
る風船や、爆発音を断続的に発生したり、磁力を利用するもの等が開発されている。
しかしながら、鳥類を住宅近辺等から遠ざける効果を持続させる安価で手軽なものは入
手できなかった。
【０００４】
研究開発段階や出願段階で先行技術調査を行っておらず、記載すべき先行技術文献を知
りません。
【発明の開示】
【発明が解決しようとする課題】
【０００５】
解決しようとする問題点は、鳥類の高い学習能力によって一時的な効果に留まったり、
持続性を有するものでは高価な装置となることを解決し、安価で持続性のある鳥類撃退器
具を提供する点である。
【課題を解決するための手段】
【０００６】
本発明は、上記従来技術に基づく、動かないものでは一時的な効果に留まったり、持続
性のあるものは高価となる課題に鑑み、基板に複数本の棒状突起を植設した鳥類撃退装置
であって、棒状突起は鳥類の接触または掴持による外力または荷重で屈曲容易な棒状突起
と成すことによって、鳥類の接触等により棒状突起が屈曲し、鳥類の身体に棒状突起が刺
さる強烈な恐怖感を与え、繰り返しによる学習能力で近づかない様にして、上記課題を解
決する。
【発明の効果】
【０００７】
要するに本発明は、基板に複数本の棒状突起を植設したので、別部材で供給販売される
基板と棒状突起を嵌入立設して容易に組付けることが出来、又棒状突起は鳥類の接触また
は掴持による外力または荷重で屈曲容易な棒状突起と成したので、鳥類が飛来した時に棒
状突起が形態変化したり、突き刺さり、退避させることが出来、更に、接触や退避を繰り
返す学習能力で近づかなくなり、住宅地等の特定区域から鳥類を遠ざけることが出来る。
従って、短期的、長期的に有効で簡易、安価な鳥類撃退器具を提供することが出来る。
【０００８】
棒状突起は細板状で合成樹脂製と成したので、屈曲容易機能を有する棒状突起を安価、
大量に供給することが出来る。
【０００９】
複数本の棒状突起の高さを複数種と成したので、飛び立つ時に羽根が低い棒状突起の頂
端に突き刺さることにより、退避効果、学習効果を向上させることが出来る等その実用的
効果甚だ大である。
【発明を実施するための最良の形態】
【００１０】
以下、本発明の一実施形態を図面に基づいて説明する。
図１、２に示す様に、本発明に係る鳥類撃退器具１は基板２上に多数の棒状突起３、3a
…を植設している。
棒状突起３、3a…は無風や弱風状態では立設状態であるが、鳥類が接触したり掴持した
時には、外力や体重（荷重）で棒状突起３、3a…が屈曲、湾曲し、鳥類の足場が不安定に
なるものである。
【００１１】
棒状突起３、3a…は細長い板状、柱状、針状、棒状等であり、その形状、材質は屈曲容
易性から合成樹脂製で幅が狭い断面細板状のものが好ましい。
又、多数の棒状突起３、3a…は高さを各種のものと成し、図示のものでは、高いもので
２０〜４０ｃｍ、低いものはその半分、それらの中間あたりの高さで各種揃えている。
棒状突起３、3a…の頂端は水平面のものでも良いが、細板状（扁平状）の一面を傾斜し
て鋭利状と成したものが好ましく、又湾曲する方向が一様でなく各種方向となる様に、板
面方向を相違させた方が好ましい。
【００１２】
図１、２に示す様に、基板２はゴム製や合成樹脂製の平板４の表面に多数の台座５、5a
…を突出して一体形成し、図１のＡ−Ａ断面図に示す様に、平板４および台座５、5a…の
中央に嵌合孔６を穿孔すると共に、嵌合孔６に棒状突起３、3a…の基端を嵌合立設し、又
台座５、5a…における嵌合孔６の内面側に係止突起７を突出形成し、植設状態を固定して
いる。
尚、図示していないが、鳥類撃退器具１は設置場所に応じて連続的に設けるため、隣接
する鳥類撃退器具１同志の連結構成を設けることが好ましい。
【００１３】
次に本発明に係る鳥類撃退器具の作用について説明する。
飛来した鳥類が棒状突起３、3a…に接触したり、掴もうとしたり、掴持した時には、そ
れらの重量（荷重）、外力等で棒状突起３、3a…は屈曲したり、湾曲して形態変化し、足
場や周囲環境が不安定となり、鳥類は危険や環境異変を感じ、退散、退避する。
その時、飛び立とうとする鳥類の羽根は棒状突起３、3a…の頂端に接触したり、突き刺
さり、鳥類は猛烈な恐怖感を覚える。
この様に、外見上では動かない鳥類撃退器具１であるが、鳥類は鳥類撃退器具１への接
触、退避を繰り返し、本発明による鳥類撃退器具１が危険なものであることを高い学習能
力で記憶し、近づかなくなる。
【００１４】
又、上記の基本的作用の他、棒状突起３、3a…の高さを各種のものと成した時の作用に
ついて説明する。
例えば、棒状突起３、3a…が屈曲しても飛び去らなかった場合には、羽根や身体が低い
棒状突起３、3a…に突き刺さる。
又、飛来せずに鳥類撃退器具１の設置場所以外から徒歩で近づいてきた場合や、棒状突
起３、3a…を分けて入り込んだ場合には、飛び立つ時に低い棒状突起３、3a…に接触した
り、突き刺さり、地上から近づくことも減少する。
【図面の簡単な説明】
【００１５】
【図１】本発明に係る鳥類撃退器具の正面図および嵌合孔を示す部分拡大断面図である。
【図２】図１の平面図である。
【符号の説明】
【００１６】
２        基板
３、3a…  棒状突起
【図１】
2006061078.tif 000003
【図２】
2006061078.tif 000004
(57)【要約】【課題】  ワイシャツ襟の後方裏側につけた、ネクタイのずり落ち防止の為のネクタイ通しを提供する。【解決手段】  ワイシャツの襟裏、後方部分のネクタイのあたる部分に小切れを取り付け、ワイシャツの襟裏とともに輪状又は筒状の空間を設け、この空間部にネクタイを通してネクタイの位置を固定する為のおさえとすることを特徴とするワイシャツ襟裏のネクタイ通し。【選択図】  図１
2006028715.tif 000002
【特許請求の範囲】
【請求項１】
ワイシャツの襟裏、後方部分のネクタイのあたる部分に小切れを取り付け、ワイシャツの襟裏とともに輪状又は筒状の空間を設け、この空間部にネクタイを通してネクタイの位置を固定する為のおさえとすることを特徴とするワイシャツ襟裏のネクタイ通し。
【発明の詳細な説明】
【技術分野】
【０００１】  本発明は、ワイシャツ襟の後方裏側につけた、ネクタイ通しに関するものである。
【背景技術】
【０００２】  従来、ネクタイの装着は、ワイシャツの襟からネクタイがはみ出さないように、手等でネクタイの位置を調節してネクタイを結んでいた。
【発明の開示】
【発明が解決しようとする課題】
【０００３】  そのために、次のような問題点があった。
（イ）ネクタイを装着する時、ワイシャツの襟、特に後方部分からネクタイがはみ出さないように、手等でネクタイを襟の中に押しやる等して、ネクタイの位置を調節する煩わしさがあった。
（ロ）ネクタイの装着中、ネクタイの結びを緩めたり、ネクタイの位置を移動したりすると、ワイシャツの襟、特に後方部分からネクタイがはみ出る事が多かった。
本発明は、これらの問題点を解決するためになされたものである。
【課題を解決するための手段】
【０００４】  ワイシャツの襟裏、後方部分のネクタイのあたる部分に小切れを取り付け、ワイシャツの襟裏とともに輪状又は筒状の空間を設ける。この空間部にネクタイを通してネクタイの位置を固定する為のおさえとする。
以上を特徴とするワイシャツ襟裏のネクタイ通しである。
【発明の効果】
【０００５】  ワイシャツ襟後方のネクタイのはみ出しを気にせずにネクタイを装着でき、ネクタイの結びを緩めたり、ネクタイの位置を移動したりしても、襟からネクタイがはみ出す事がない。
【発明を実施するための最良の形態】
【０００６】  以下、本発明の実施の形態について説明する。
ワイシャツの襟（１）の裏側後方のネクタイのあたるところに、ネクタイを通してネクタイの位置を固定する為、襟裏（３）とともに輪状又は筒状の空間ができるように、長方形の布等の小切れ（２）を取り付ける。
本発明は以上の構成よりなっている。
本発明を使用するときは、小切れ（２）と襟裏（３）によりできる輪状又は筒状の空間部分にネクタイを一端から通し、通常のようにネクタイの両端の長さを調節して、ネクタイを結ぶ。
【図面の簡単な説明】
【０００７】
【図１】本発明の斜視図
【図２】本発明の一部を拡大した斜視図
【符号の説明】
【０００８】    １  襟
２  小切れ
３  襟裏
４  ワイシャツ
【図１】
2006028715.tif 000003
【図２】
2006028715.tif 000004
(57)【要約】【課題】運動着本体に針で穴あけなくても安全ピンでゼッケンを取り付けられ、クリップでもゼッケンを取り付けられるようにする。【解決手段】運動着本体の、通常ゼッケンを取り付ける際に安全ピンを留める部分に、紐もしくは布をループ状に取り付ける。【選択図】図１
2006028716.tif 000002
【特許請求の範囲】
【請求項１】
通常ゼッケンを取り付ける際に安全ピンを留める部分にループを設けることで、運動着本体に針で穴をあけなくても安全ピンでゼッケンを取り付けられるようにするとともに、クリップでもゼッケンを取り付けられるところを特徴とする、ゼッケン取付用ループを備え付けた運動着
【発明の詳細な説明】
【技術分野】
【０００１】  本発明は、ゼッケンを取り付けて使用する運動着に関するものである。
【背景技術】
【０００２】  従来の運動着においては、ゼッケンを取り付けるための器具などがないため、通常ゼッケンは運動着本体に安全ピンを刺して留めていた。
【発明の開示】
【発明が解決しようとする課題】
【０００３】  ゼッケンを運動着本体に安全ピンで留めることは、運動着本体に針で穴をあけることになるため、特に高額な運動着などの場合は心理的な抵抗が生じることがあり、実際に運動着の損傷も早めてしまっている。また、安全ピンでのゼッケン取り付けは比較的手間がかかり、誤って着ている人間の体を刺してしまう危険もある。従って、運動着本体に針で穴をあけなくても安全ピンでゼッケンを取り付けられ、且つクリップでもゼッケンを取り付けられるようにすることで前述の欠点を解決しようとするものである。
【課題を解決するための手段】
【０００４】  本発明は、運動着の、通常ゼッケンを取り付ける際に安全ピンを留める部分にループを設けることで、安全ピンを、そのループに通す、もしくはそのループに刺してゼッケンを取り付けることを可能にし、且つ、クリップでもゼッケンの取り付けを可能とすることで問題点を解決している。
【発明の効果】
【０００５】  上述のように、本発明のゼッケン取付用ループ付運動着は、運動着本体に針で穴をあけなくても安全ピンでゼッケンを取り付けられ、しかもクリップによってもゼッケンを取り付けられることでゼッケンの取り付けを安全且つ容易にしている。
【発明を実施するための最良の形態】
【０００６】  運動着本体の、通常ゼッケンを取り付ける際に四隅にあたる部分の若干外側に、紐もしくは布をループ状に４つ取り付ける。
【図面の簡単な説明】
【０００７】
【図１】本発明のゼッケン取付用ループ付運動着の実施例を示す正面図である。
【図２】本発明のゼッケン取付用ループ付運動着の実施例を示す背面図である。
【図３】ゼッケン取付用ループに安全ピンを通してゼッケンを取り付けた実施例を示す図である。
【図４】ゼッケン取付用ループにクリップを使ってゼッケンを取り付けた実施例を示す図である。
【図５】ゼッケン取付用ループにひもで結びつけたクリップを使ってゼッケンを取り付けた実施例を示す図である。
【符号の説明】
【０００８】１    運動着本体
２    ゼッケン取付用ループ
３    ゼッケン
４    安全ピン
５    クリップ
６    ひも
【図１】
2006028716.tif 000003
【図２】
2006028716.tif 000004
【図３】
2006028716.tif 000005
【図４】
2006028716.tif 000006
【図５】
2006028716.tif 000007
(57)【要約】【課題】従来のよだれかけは、よだれによるむれやただれを起こしやすいという問題があった。これは、よだれの吸収量が少なくすぐ服や肌にしみてしまうとともに、通気性がないためである。【解決手段】綿１００％のタオル地に、スナップボタンを打ちつける事で二枚重ねのよだれかけとなり、紐を通してギャザーを寄せると胸元でふくらむように構成した。これにより通気性が良くなるため、よだれによるむれやただれを防止し、胸元でよだれを大量吸収する事で長時間使用可能となり、よだれかけの替えが少なくて済むのである。【選択図】図１
2006028717.tif 000002
【特許請求の範囲】
【請求項１】
肌にやさしい綿１００％のタオル地を使用し、よだれかけを二重にするために折山がバイヤスになるよう布を裁ち、両端にスナップボタンをつけて紐を通し、ギャザーを寄せる事でよだれの吸収量が多くなるとともに、胸元とよだれかけとの間に空間ができ通気性が良くなるため、よだれによるむれやただれを防ぐ事のできるよだれかけ。
【発明の詳細な説明】
【技術分野】
【０００１】  よだれかけの両端につけたスナップボタンによってできた穴に紐を通し、布を中央に寄せてギャザーをつくり、よだれの吸収量を何倍にもできるよだれかけ。
【背景技術】
【０００２】  従来のよだれかけは、よだれを吸収してもすぐ服や肌にしみてしまいただれてしまう。よだれかけ一枚に対してのよだれの吸収量が少なく、何枚も替えを要する。
【発明の開示】
【発明が解決しようとする課題】
【０００３】  以上に述べた従来のよだれかけは、布地などの製品が数多く出ているが、どれもよだれの吸収量が少なく、すぐ服や肌がベトベトになりただれを起こしやすい。また、防水加工の製品も出ているが、これも通気性がなくむれてしまう。【０００４】  本発明は、以上のような欠点を解決するものであり、よだれの吸収量を多くし、よだれかけと肌との間に空間をつくり通気性を良くする事で、むれやただれを防ぐ事を目的とするものである。
【課題を解決するための手段】
【０００５】  本発明は、折山がバイヤスになるように裁ったタオル地の両端にスナップボタンを打ちつけ、スナップボタンを閉じると二枚重ねになり、紐を通す事でギャザーを寄せる事が可能となる。【０００６】  課題解決手段による作用は、次の通りになる。【０００７】  よだれかけの紐を首の後ろで結び、ギャザーを寄せると胸元でふくらみ、上のタオル地と下のタオル地との間に空間ができ、下のタオル地と肌との間にも空間ができるので通気性が良くなるとともに、よだれの吸収量も増える。
【発明の効果】
【０００８】  上述したように本発明のよだれかけは、スナップボタンによって紐を通しギャザーを寄せる事で、よだれによるむれやただれを防ぐとともに、よだれの吸収量が多いため長時間使用可能となり、替えが少なくて済む。
【発明を実施するための最良の形態】
【０００９】  以下、図面に基づいて本発明を説明する。【００１０】  折山がバイヤスになるように裁ったタオル地の縁２は、ほつれる事のないようピコ縫いをして始末する。【００１１】  タオル地の両端に力布（のり付きパネロン）をあてて、スナップボタン３を打ちつけ閉じると、二枚重ねのよだれかけ本体１となる。【００１２】  よだれかけ本体１の折山裏側に紐４を通し、ギャザー５を寄せる事で胸元にふくらみができ、肌とよだれかけの間に空間ができる事により通気性が良くなり、よだれによるむれやただれを防ぐ。【００１３】  また、ギャザー５を寄せた部分はタオル地の密集により、よだれの吸収量を多くする効果がある。【００１４】  以上のように本発明は、よだれの吸収量を多くし通気性が良い構造となるため、よだれかけの替えが少なくて済み、よだれによるむれやただれを防ぐ効果が得られるものである。
【図面の簡単な説明】
【００１５】
【図１】表面図
【図２】側面図
【図３】断面図
【符号の説明】
【００１６】  １よだれかけ本体
２縁
３スナップボタン
４紐
５ギャザー
６よだれかけ表側
７よだれかけ裏側
【図１】
2006028717.tif 000003
【図２】
2006028717.tif 000004
【図３】
2006028717.tif 000005
(57)【要約】【課題】  内側の布が取り外し可能なヘルメットを提供する。【解決手段】  ヘルメットの内側の布にマジックテープやボタンやボタン受け・金具などを付け、ヘルメット側にも装着可能なようにマジックテープやボタンやボタン受け・金具などを付け、内側の布を取り外し可能にしたことを特徴とするヘルメットである。【選択図】なし【特許請求の範囲】
【請求項１】
内側に布の付いたヘルメットの布とヘルメットに、マジックテープやボタンやボタン受け・金具などを付け、布を取り外し可能にしたヘルメット。
【発明の詳細な説明】
【技術分野】
【００１】  本発明は、内側に布の付いたヘルメットの布を、取り外し出来る様にしたヘルメットに関するものである。
【背景技術】
【００２】  従来、内側に付いた布を取り外し可能にしたヘルメットは無かった。特に、オートバイ用やレーシング用のヘルメットの内側の布は、取り外し不可能であった。
【発明の開示】
【発明が解決しようとする課題】
【００３】  ヘルメットの内側の布が取り外し可能でないと、洗濯できず布が汚れ、髪や頭が被るたびに汚れ不潔であるという欠点があった。
本発明は、この問題を解決するためになされたものである。
【課題を解決するための手段】
【００４】  ヘルメットとその内側の布にマジックテープやボタン・ボタン受け・金具などを付け、取り外し可能にする。以上を特徴とするヘルメットである。
【発明の効果】
【００５】  外した布を洗濯することにより清潔に保つことが出来る。
【発明を実施するための最良の形態】
【００６】  以下、本発明の実施の形態について説明する。
（イ）  ヘルメットの内側に付ける布に、マジックテープやボタンやボタン受け・ひも・ファスナー・フォック・金具などを、ヘルメットに装着出来る様に付ける。
（ロ）  ヘルメットの内側にも、マジックテープやボタンやボタン受け・ひも・ファスナー・フォック・金具などを、内布を装着出来る様に付ける。
（ハ）  ヘルメットと内布を、以上の様な留め具で装着する。
本発明は以上の様な構成で、ヘルメットの内側の布は取り外し可能となり、洗濯や取替えが可能となるのである。ヘルメットの内側の布は、一枚でも二枚以上に分かれていても良い。
(57)【要約】    【課題】防水性を有し、なおかつ適度な伸縮性を有する紐を提供する。    【解決手段】芯部（１１）にゴムを使用し、芯部を被覆する表面部（１２）に軟質合成樹脂を使用したことを特徴とする防水紐（１０）である。軟質合成樹脂としては、熱可塑性エラストマー（スチレン系、オレフィン系、ポリエステル系、ウレタン系、ＰＶＣ系、フッ素系、等）などが使用可能である。ゴムとしては、天然ゴム、イソプレンゴム、ブタジエンゴム、ニトリルゴム、アクリルゴム、シリコーンゴム、等が使用可能である。芯部が紐の直径に占める割合は、１／４〜１／２程度（好ましくは１／３程度）で、残り１／２〜３／４（好ましくは２／３程度）が表面部であるのが好ましい。【選択図】図１
2006028707.tif 000002
【特許請求の範囲】
【請求項１】
芯部（１１）にゴムを使用し、芯部を被覆する表面部（１２）に軟質合成樹脂を使用して２層構造としたことを特徴とする防水紐（１０）。
【請求項２】
軟質合成樹脂が、スチレン系、オレフィン系、ポリエステル系、ウレタン系、ＰＶＣ系、フッ素系の中から選択される熱可塑性エラストマーである請求項１記載の防水紐。
【請求項３】
ゴムが、天然ゴム、イソプレンゴム、ブタジエンゴム、ニトリルゴム、アクリルゴム、シリコーンゴムの中から選択されるゴムである請求項１又は２記載の防水紐。
【請求項４】
芯部（１１）が紐の直径に占める割合が、１／４〜１／２で、残り１／２〜３／４が表面部（１２）である請求項１ないし３のいずれかに記載の防水紐。
【発明の詳細な説明】
【技術分野】
【０００１】
本発明は、伸縮性を有する防水紐に関する。この防水紐は、水に触れる可能性のあるところで幅広く使用することができる。例えば、防水ジャケットのフード・袖口等の絞り紐、銭湯やプールで身につける鍵の保持用紐、荷物の結束紐、など従来、組紐が使用されてきたところに幅広く用いることができる。
【背景技術】
【０００２】
伸縮性を有する紐として従来組紐が使用されている。これは、ゴム芯を組み込んで螺旋状に糸を編み上げたものである。しかし、組紐は防水性に難があり、雨水にぬれたりすると劣化しやすい。
【０００３】
昨今、リクレーションやレジャーなどアウトドアで行動する機会が増えているので、水に濡れてもよい防水紐に対する需要は大きい。紐を防水にするためには、少なくとも表面をプラスチックで成形することが考えられる。例えば下記特許文献１では、繊維製芯体とそれを被覆するプラスチックからなる２層構造の縄跳び用のロープを開示している。もっとも、この考案の特徴はその部分ではなく、両端部の外径を中央部の外径よりも大径とし、両端部を中央部よりも剛性の高いものとしたことである。
【特許文献１】実公昭６０−１５５７１号明細書
【発明の開示】
【発明が解決しようとする課題】
【０００４】
しかし、この特許文献１のロープは、繊維製芯体のために伸縮性はあまりないと考えられる。実際、縄跳び用として使用するロープに伸縮性があると、使用している間にだんだん伸びてしまうので好ましくない。
【０００５】
しかし、防水ジャケットのフード・袖口等の絞り紐、銭湯やプールで身につける鍵の保持用紐、一時的な荷物結束の紐には適度な伸縮性がある方が好ましい。本発明は、防水性を有し、なおかつ、適度な伸縮性を有する紐を提供することを目的とする。
【課題を解決するための手段】
【０００６】
本発明の防水紐は、芯部にゴムを使用し、芯部を被覆する表面部に軟質合成樹脂を使用して２層構造としたことを特徴とする。
【発明の効果】
【０００７】
本発明の防水紐は、表面部に軟質合成樹脂を使用しているので、防水性を有する。また、芯部にゴムを使用し、芯部を被覆する表面部に軟質合成樹脂を使用しているので、双方共に伸縮性を有し、全体としても適度な伸縮性を有する。
【０００８】
その結果、本発明の防水紐は、防水ジャケットのフード・袖口等の絞り紐、銭湯やプールで身につける鍵の保持用紐、一時的な荷物結束の紐、等として、幅広く使用することができる。
【０００９】
また、表面部を透明とし、芯部を着色すれば、視覚的に意外性のあるデザインを有する紐となる。
【発明を実施するための最良の形態】
【００１０】
軟質合成樹脂としては、熱可塑性エラストマー（スチレン系、オレフィン系、ポリエステル系、ウレタン系、ＰＶＣ系、フッ素系、等）などが使用可能である。
【００１１】
ゴムとしては、天然ゴム、イソプレンゴム、ブタジエンゴム、ニトリルゴム、アクリルゴム、シリコーンゴム、等が使用可能である。
【００１２】
芯部が紐の直径に占める割合は、１／４〜１／２程度（好ましくは１／３程度）で、残り１／２〜３／４（好ましくは２／３程度）が表面部であるのが好ましい。
【実施例１】
【００１３】
図１は、本発明に係る防水紐の斜視図である。図２は、図１の２−２断面図である。
【００１４】
この防水紐１０は、芯部１１にシリコーンゴムを使用し、芯部を被覆する表面部１２にウレタン系熱可塑性エラストマーを使用している。芯部が紐の直径に占める割合は、約１／３で、残り約２／３が表面部である。
【００１５】
この防水紐を製造するには、シリコーンゴム紐を中心に置き、周囲からウレタン系熱可塑性エラストマーで被覆しつつ押し出す、押し出し成形法が適当である。
【図面の簡単な説明】
【００１６】
【図１】本発明に係る防水紐の斜視図である。
【図２】図１の２−２断面図である。
【符号の説明】
【００１７】
１０   防水紐
１１   芯部
１２   表面図
【図１】
2006028707.tif 000003
【図２】
2006028707.tif 000004
(57)【要約】【課題】人体に安全な歯周病の予防と治療効果の高い歯磨剤及び治療薬を提供する。【解決手段】アシドフィルス菌またはコンク・アシドフィルス菌を含有した歯磨剤または治療薬により、歯周病の予防と治療を実現する。【選択図】図１
2006028151.tif 000002
【特許請求の範囲】
【請求項１】
アシドフィルス菌またはコンク・アシドフィルス菌を含有した歯磨剤。
【請求項２】
アシドフィルス菌またはコンク・アシドフィルス菌を含有した歯周病治療薬。
【発明の詳細な説明】
【技術分野】
【０００１】  この発明は、歯磨剤及び歯周病治療薬の組成物に関する。
【背景技術】
【０００２】  アシドフィルス菌は、整腸薬の組成物として用いられており、有害菌を抑える働きがあることが実証されている。
【発明の開示】
【発明が解決しようとする課題】
【０００３】  しかしながら、以上の技術は歯周病対策に用いられておらず、本発明は、歯周病の予防および治療効果の高い歯磨剤及び歯周病治療薬を提供することを課題とする。
【課題を解決するための手段】
【０００４】  以上の課題を解決するために、第一発明は、アシドフィルス菌またはコンク・アシドフィルス菌を含有した歯磨剤である。
また、第二発明は、コンク・アシドフィルス菌またはコンク・アシドフィルス菌を含有した歯周病治療薬である。
【発明の効果】
【０００５】  第一発明、または第二発明によれば、歯周病の予防と治療に高い効果が期待できる。
【発明を実施するための最良の形態】
【０００６】  この発明の一実施形態を、図１に示す。
歯磨剤全体の質量を１００％とした場合、アシドフィルス菌またはコンク・アシドフィルス菌（図中の１）が０．１％〜５０％を占める。【０００７】「他の実施形態」
アシドフィルス菌またはコンク・アシドフィルス菌を含有した歯周病の治療及び予防薬でも良い。
【図面の簡単な説明】
【０００８】
【図１】この発明の一実施形態を示す構成図である。
【符号の説明】
【０００９】１  アシドフィルス菌またはコンク・アシドフィルス菌
２  その他の組成分
【図１】
2006028151.tif 000003
(57)【要約】      （修正有）【課題】保湿効果に優れ、しわを目立たなくする効果に優れた化粧料の提供。【解決手段】次の成分（Ａ）及び（Ｂ）を組み合わせたものを配合することを特徴とする化粧料組成物。（A）セラミド類（B）パルミトイルオリゴペプチド 成分（Ａ）のセラミド類が、セラミド２からなる化粧料組成物。成分（Ｂ）のパルミトイルオリゴペプチドが、パルミトイル化したバリン−グリシン−バリン−アラニン−プロリン−グリシンからなる化粧料組成物。【選択図】なし【特許請求の範囲】
【請求項１】
次の成分（Ａ）、（Ｂ）を組み合わせて含有することを特徴とする化粧料組成物。
（A）セラミド類
（B）パルミトイルオリゴペプチド
【請求項２】
成分（Ａ）のセラミド類が、セラミド２からなる請求項１記載の化粧料組成物。
【請求項３】
成分（Ｂ）のパルミトイルオリゴペプチドが、パルミトイル化したバリン−グリシン−バリン−アラニン−プロリン−グリシンからなる請求項１記載の化粧料組成物。
【発明の詳細な説明】
【技術分野】
【０００１】
本発明は、化粧料に関し、詳しくは保湿性に優れ、また、しわを目立ちにくく改善する効果を与えるものである。
【背景技術】
【０００２】
従来、セラミド類は公知の物質であり、保湿効果に優れていることが知られている。香粧品で使用されるセラミド類はほ乳類の牛、馬、豚等の脳組織などの生体内より抽出される。しかしながら、牛には海綿状脳疾患があるなど、動物由来のセラミド類を使用することは人への感染が心配されるため使用できない。
【特許文献１】特開平９−１７６０９７
【発明の開示】
【発明が解決しようとする課題】
【０００３】
最近では合成セラミド類が開発され油層基材への相溶性が改善されたセラミド誘導体も報告されているが、それらの保湿効果は充分ではなかった。
【課題を解決するための手段】
【０００４】
本発明は、請求項１記載のセラミド２とパルミトイルオリゴペプチドを組み合わせて使用することでセラミドの保湿効果を高め、しわを目立ちにくくする効果を見出し、本発明を開発するに至った。
【発明の効果】
【０００５】
請求項１記載のセラミド２とパルミトイルオリゴペプチドを組み合わせた物は油層基材との相溶性が良好で、保湿効果も高い等の特性を化粧料に提供する。
【発明を実施するための最良の形態】
【０００６】
以下、本発明を詳細に説明する。
本発明における成分（Ａ）のセラミド類は香粧品で使用されるセラミド類が挙げられるが、好ましくはセラミド２が好ましい。
【０００７】
本発明における成分（Ｂ）のパルミトイルオリゴペプチドは、パルミトイル化したバリン−グリシン−バリン−アラニン−プロリン−グリシンが挙げられる。
【０００８】
これらの成分（Ａ）と成分（Ｂ）を組み合わせて他の成分と配合したものを商品名「ＤＥＲＭＡＸＹＬ」としてクローダジャパン株式会社より販売している。
【０００９】
本発明の化粧料には、本発明の効果を損なわない範囲で、必要に応じて、前記必須成分の他に、界面活性剤、天然油脂、鉱物油、合成エステル、紫外線吸収剤、保湿剤、皮膜形成剤、酸化防止剤、防腐剤、香料等を配合することが可能である。
【００１０】
本発明の化粧料は、リキッドファンデーション、パウダーファンデーション、口紅、クリーム、乳液、ローション、美容液等に応用できる。
【実施例１】
【００１１】
以下に実施例と比較例を挙げて本発明を説明する。本発明はこれらに限定されるものではない。
【００１２】
実施例、比較例に示した官能評価の試験方法は以下の通りである。以下の表に示す組成物の配合量は全て％で示す。
【００１３】
表−１の処方で乳液を調整して安定性および使用感の試験を行った。１０人のパネラーによる使用感および、４０日での安定性試験を表−２にまとめた。ＤＥＲＭＡＸＹＬを配合した乳液は２０日後、結晶の析出や分離もなく非常に安定であった。また、しっとりしていて、使用感もすぐれていた。これらの結果から、ＤＥＲＭＡＸＹＬはセラミド単独使用よりもしっとりしていて、使用感、安定性とも優れていることがわかる。また、しわの改善効果も優れていることがわかる。
【００１４】
【表１】
2006028058.tif 000002
【００１５】
【表２】
2006028058.tif 000003
安定性：３０日後の外観（４０℃）
使用感：
しっとり感       評価点        評価
５            非常にしっとりしている
４            しっとりしている
３            普通
２            しっとりしていない
１            まったくしっとりしていない
べたつき感        ５            べたつきが全くない
４            べたつきがほとんどない
３            普通
２            べたつきがある
１            ひどくべたつく
しわの評価
１日１回乳液を塗布して５６日経過後のしわの密度としてプロファイオメトリーによるイメージ分析を行った。塗布前と塗布５６日経過後の数値からしわ密度を算出。
しっとり感、べたつき感とも１０人のパネラーの評価点の平均をとった。
【実施例２】
【００１６】
表−３の処方でリップスティックを調製して使用感の試験を行った。１０人のパネラーによる使用感を表−４にまとめた。ＤＥＲＭＡＸＹＬを配合したリップスティックは使用感が良好であった。
【００１７】
【表３】
2006028058.tif 000004
【００１８】
【表４】
2006028058.tif 000005
使用感：
のび        評価点        評価
５            非常に良い
４            良い
３            普通
２            悪い
１            非常に悪い
のびは１０人のパネラーの評価点の平均をとった。
(57)【要約】    【課題】  高紫外線吸収能ポリマーの原料および添加剤、非ハロゲン、非リン系の難燃性ポリマーの原料および添加剤となるアントラセン化合物を提供すること。    【解決手段】  アルカリ性化合物の存在下、９−アントロールと酸化エチレンとを反応させることによって得られる９−（２−ヒドロキシエトキシ）アントラセンを提供する。特に、９−アントロールのアルカリ金属塩の溶液を反応原料として当該アントラセン化合物を提供する。    【効果】    上記課題が解決される。    【選択図】  なし。【特許請求の範囲】
【請求項１】
式（１）
【化１】
2006028063.tif 000003
で示される９−（２−ヒドロキシエトキシ）アントラセン。
【請求項２】
アルカリ性化合物の存在下、９−アントロールと酸化エチレンとを反応させることを特徴とする請求項１に記載の９−（２−ヒドロキシエトキシ）アントラセンの製造方法。
【請求項３】
９−アントロールとして、９−アントロールのアルカリ金属塩の水溶液を用いる請求項2に記載の９−（２−ヒドロキシエトキシ）アントラセンの製造方法。
【発明の詳細な説明】
【技術分野】
【０００１】
本発明は、ポリマー原料またはポリマー添加剤として有用な９−（２−ヒドロキシエトキシ）アントラセンおよびその製造法に関する。
【背景技術】
【０００２】
ポリマーには、その用途に応じて種々の機能が求められるが、その機能として、紫外線吸収（反射防止、紫外線増感等）および難燃化が挙げられる。
【０００３】
例えば、半導体製造時のＫｒＦ線エキシマレーザーのような短波長の露光手段を用いたリソグラフィーにおける反射防止膜には、高い紫外線吸収能が求められており、アントラセン化合物の添加が提案されている（例えば、特許文献１）。また、一般的にポリマーには難燃性が要求されるが、現状では難燃剤としてリン化合物、ハロゲン化合物が多用されている。しかしながら一方で、健康や環境への配慮から脱リン、脱ハロゲンが求められており、難燃性付与のためポリマー骨格へ芳香環を導入する事が知られている。（例えば特許文献２）このようにポリマーの機能を高めるための添加剤として各種のアントラセン化合物が提案されているが、本発明の９，10−ビス（２−ヒドロキシエトキシ）アントラセンは知られていない。
【特許文献１】特開平１１−２４９３１１
【特許文献２】特許第３１５３８７５
【発明の開示】
【発明が解決しようとする課題】
【０００４】
本発明はこれらポリマーに求められる紫外線吸収、難燃化に対応する原料または添加剤として有用なアントラセン骨格を有する化合物およびその製造法を提供することにある。
【課題を解決するための手段】
【０００５】
本発明者は、低コストで工業的に製造可能なアントラセン骨格を有する化合物とその製造法について検討し、本発明を完成させた。
【０００６】
即ち、本発明は、新規な９−（２−ヒドロキシエトキシ）アントラセン及びアルカリ性化合物の存在下９−アントロールと酸化エチレンを反応させることを特徴とする９−（２−ヒドロキシエトキシ）アントラセンの製造方法を骨子とするものである。
【発明の効果】
【０００７】
本発明の９−（２−ヒドロキシエトキシ）アントラセンは、高紫外線吸収能ポリマーの原料および添加剤、非ハロゲン、非リン系難燃性ポリマーの原料および添加剤として有用である。また、この９−（２−ヒドロキシエトキシ）アントラセンは、アルカリ性化合物の存在下、９−アントロールと酸化エチレンとを反応させることによって工業的に容易に得ることができる。
【発明を実施するための最良の形態】
【０００８】
本発明の９−（２−ヒドロキシエトキシ）アントラセンは式（１）で示される化合物である。
【０００９】
【化１】
2006028063.tif 000002
【００１０】
本発明の９−（２−ヒドロキシエトキシ）アントラセンは、アルカリ性化合物の存在下、９−アントロールと酸化エチレンとを反応させることによって得ることができる。
【００１１】
９−アントロールは、メタノール等のアルコール性溶媒又は水溶液中のアントロンに、アルカリ金属水酸化物のようなアルカリ性化合物を加えて加熱することにより９−アントロールのアルカリ金属塩の溶液が容易に得られるので、この溶液を反応原料とて利用することができる。
【００１２】
酸化エチレンと９−アントロールの反応の際に用いるアルカリ性化合物としては水酸化ナトリウム、水酸化カリウム等のアルカリ金属水酸化物が挙げられる。９−アントロールとして上記の９−アントロールのアルカリ金属塩の溶液を用いる場合、溶液中にアルカリ金属水酸化物が含まれるため新たにアルカリ金属水酸化物を添加する必要がないので好適である。
【００１３】
酸化エチレンと９−アントロールの反応に用いる溶媒としては、メタノール、エタノール、プロピルアルコール、エチレングリコール、プロピレングリコールのようなアルコールか、もしくはジメチルフォルムアミド、ジエチルフォルムアミドのようなプロトン性溶媒、またはメチルエチルケトン、メチルイソブチルケトンのようなケトン類、さらにはテトラヒドロフランのような水溶性エーテルを用いる。また、これらの混合溶媒でもよい。
９−アントロールとして上記の９−アントロールのアルカリ金属塩の溶液を用いる場合、これらの溶媒を新たに用いずに溶液のまま反応させてもよいし、さらにこれらの溶媒を添加して反応させてもよい。
【００１４】
９−アントロールと酸化エチレンの反応は、添加するアルカリの種類や量、およびその他の条件にもよるが、好ましくは反応温度は１０℃以上、８０℃以下、反応時間は１時間以上、５時間以下、反応圧力は０．２ＭＰa以上、０．５ＭＰａ以下で行われる。
【実施例１】
【００１５】
「９−（２−ヒドロキシエトキシ）アントラセンの合成」
窒素ボックス中、攪拌機を付したオートクレーブ中で９−アントロン４．９ｇ（０．０２５モル）をメタノールに溶かし、水酸化ナトリウムの水溶液（水酸化ナトリウム４ｇ、０．１モル）を入れ密閉した。６０℃で２０分間加熱して９−アントロンを９−アントロールとした後、反応液の温度を４５℃まで下げた。そこに酸化エチレン１１ｇ（０．２５モル）を温度を５０℃以下、かつ圧力を０．３ＭＰａ以下に保ちつつ６０分要して導入した。更に、反応温度を４０℃に保持しながら反応を３時間続けた。反応終了後、得られた結晶を濾別して水洗した。８０℃で乾燥することで９−（２−ヒドロキシエトキシ）アントラセンを３５ｇ得た。（収率６２ｍｏｌ％）
【産業上の利用可能性】
【００１６】
本発明の９−（２−ヒドロキシエトキシ）アントラセンの使用方法としては、ポリエステル、ポリウレタン、ポリエーテル等のアルコール性−ＯＨ基が反応基となり得るポリマー（またはオリゴマー）の原料が挙げられる。また、反応基が残留するポリマー中に溶解または分散して反応させることもできる。さらに、ポリマーとの相溶性にもよるが、物理的に溶解または分散させる使用方法も可能である。